(57)【要約】【課題】本実施形態は、画像の均等間隔表示と疑似インパルス制御を両立させ、品質の良い画像を提供できる表示装置を提供することを目的とする。【解決手段】一実施形態によれば、第１のフレームレートの第１の映像信号を、第１のフレームレートよりも周波数が高い第２のフレームレートの第２の映像信号に変換するフレームレート変換部と、バックライトを備えた液晶表示部を含む。そして、表示制御部が、前記第２の映像信号を、前記液晶表示部に供給するとともに、前記第２の映像信号の１つのフレームを表示する時間の終端から始端方向へ５０％以内の期間のみで前記バックライトを点灯し、その他の期間を消灯する第１のモードを有する。【選択図】図２
2017021191.tif 000002
【特許請求の範囲】
【請求項１】
第１のフレームレートの第１の映像信号を、第１のフレームレートよりも周波数が高い第２のフレームレートの第２の映像信号に変換するフレームレート変換部と、
バックライトを備えた液晶表示部と、
前記第２の映像信号を、前記液晶表示部に供給するとともに、前記第２の映像信号の１つのフレームを表示する時間の終端から始端方向へ５０％以内の期間のみで前記バックライトを点灯し、その他の期間を消灯する第１のモードを有する表示制御部と、
を備える、電子機器。
【請求項２】
前記フレームレート変換部は、前記第１の映像信号の異なるフレームを、それぞれ同じ回数複数回繰り返して中間映像信号を生成してフレームレートを変換する機能部と、
前記第１の映像信号の隣り合うフレームを用いて、動きベクトルに基づいた画像補間により、前記隣り合うフレーム間の複数の中間映像を生成してフレームレートを変換する機能部と、
の少なくとも１つを有することを特徴とする
請求項１に記載の電子機器。
【請求項３】
前記表示制御部は、前記第２の映像信号の１つのフレームを表示する時間の終端から始端方向へ５０％以内の期間のみで前記バックライトを点灯し、他の期間は消灯するように前記バックライトを制御する前記第１のモードと、
前記第２の映像信号の１つのフレームを表示する時間の始端から終端において前記バックライトを点灯する期間と、前記第２の映像信号の１つのフレームを表示する時間の始端から終端において前記バックライトを消灯する期間と、を１フレームおきに交互に存在するように前記バックライトを制御する第２のモードと、
を備え、いずれか一方のモードを選択することが可能な
請求項１に記載の電子機器。
【請求項４】
前記表示制御部は、１つのフレームを表示する時間の終端から始端方向へ５０％以内の期間のみで前記バックライトを点灯する場合は、点灯する期間の割合に応じて、点灯する輝度を変えることができる
請求項１に記載の電子機器。
【請求項５】
フレームレート変換制御部と、バックライトを備えた液晶表示部と、表示制御部と、
を有した電子機器の制御方法において、
第１のフレームレートの第１の映像信号を、第１のフレームレートよりも周波数が高い第２のフレームレートの第２の映像信号に変換すること、
前記第２の映像信号を、前記液晶表示部に供給するとともに、前記第２の映像信号の１つのフレームを表示する時間の終端から始端方向へ５０％以内の期間のみで前記バックライトを点灯し、その他の期間を消灯する表示制御すること、
を備える、電子機器の制御方法。
【発明の詳細な説明】
【技術分野】
【０００１】
本発明の実施形態は、電子機器及びその制御方法に関する。
【背景技術】
【０００２】
映画やアニメーションなどオリジナル画像は、通常は１秒間に２４コマ（２４ｆｐｓ）で制作されている。この２４ｆｐｓのコンテンツが放送される場合、放送の周波数が６０ｆｐｓのため、同じコマを複数ならべる、いわゆる２３プルダウンとよばれる方式で放送される。
【０００３】
２３プルダウン方式は、オリジナル画像の奇数番目のコマを２フレーム連続で偶数番目のコマを３フレーム連続でならべることで、オリジナル画像の連続する２コマを５フレームに変換する方法である。
【０００４】
オリジナル画像の２コマを５フレームに変換するため、変換後の画像の表示間隔は不均一となる。つまり変換後の画像は、オリジナル画像の奇数番目のコマが２フレーム連続し偶数番目のコマが３フレーム連続した、不均一な配列となる。この不均一な配列の画像の表示は、オリジナル画像には存在していないカタツキや動画違和感を発生させる原因となる。
【０００５】
この現象を改善するために、逆プルダウンとよばれるフレームの並び替えを行う技術がある。駆動周波数が１２０Ｈｚの液晶表示装置に表示する場合、放送により送られてきた２３プルダウンの映像をさらに倍の４６プルダウンという方式で４フレーム連続と６フレーム連続に変換し、この１０フレームを５フレームずつに並べ替える５５プルダウンという方式で更に変換を行っている。
【０００６】
この変換により、奇数番目のコマが５フレームに変換され、偶数番目のコマが５フレームに変換されるため、画像の表示間隔がオリジナル画像と同様に等間隔になる。これにより、オリジナル画像そのままのリアリティのある表示が実現される。
【０００７】
ＤＶＤプレーヤーやＢＤプレーヤーなどの外部機器から２４ｆｐｓの映像を、駆動周波数が１２０Ｈｚの液晶表示装置に表示する場合は、当該液晶表示装置は同様に５５プルダウンによりリアルな映像表示を実施している。
【０００８】
一方、液晶表示装置においては、その表示原理から、ホールド効果とよばれる動画ボケが生じる。この動画ボケは、液晶表示装置の表示方法が１フレームの間の輝度を一定に保って表示するため、人間の視覚効果による残像が発生することに起因している。この動画ボケを解決するために、バックライトを１フレーム毎に点滅させるインパルス制御がある。
【先行技術文献】
【特許文献】
【０００９】
【特許文献１】特開２００６−３３３２８８号公報
【特許文献２】特開２０１２−８５１５号公報
【発明の概要】
【発明が解決しようとする課題】
【００１０】
液晶表示装置による映像表示の品質の更なる向上を目指して、上述したインパルス制御による動画ボケ改善と５５プルダウン方式の組み合わせが考えられる。しかし、インパルス制御と５５プルダウン方式を組み合わせると、画像の表示間隔が結果として４６プルダウン方式と同じ間隔となり、不均一な表示間隔となってしまうという問題がある。
【００１１】
本実施形態は、上記問題を鑑みてなされたものであり、画像の均等間隔表示と疑似インパルス制御を両立させ、品質の良い画像を提供できる電子機器及びその制御方法を提供することを目的とする。
【課題を解決するための手段】
【００１２】
一実施形態によれば、第１のフレームレートの第１の映像信号を、第１のフレームレートよりも周波数が高い第２のフレームレートの第２の映像信号に変換するフレームレート変換部と、バックライトを備えた液晶表示部を含む。そして、表示制御部が、前記第２の映像信号を、前記液晶表示部に供給するとともに、前記第２の映像信号の１つのフレームを表示する時間の終端から始端方向へ５０％以内の期間のみで前記バックライトを点灯し、その他の期間を消灯する第１のモードを有する。
【図面の簡単な説明】
【００１３】
【図１】従来技術におけるバックライト制御に関する一例を示す図である。
【図２】実施形態に係る液晶表示装置の一例を示す図である。
【図３】実施形態に係る映像タイプを判定する処理の一例を示す図である。
【図４】実施形態に係るフレームレート変換に関する一例を示す図である。
【図５】実施形態に係るフレームレート変換に関する一例を示す図である。
【図６】実施形態に係るフレームレート変換に関する一例を示す図である。
【図７】実施形態に係るバックライト制御に関する一例を示す図である。
【図８】実施形態に係るバックライト制御に関する一例を示す図である。
【図９】実施形態に係るフレームレート変換の方法を選択する選択画面の一例を示す図である。
【図１０】実施形態に係るフレームレート変換の方法を選択する選択画面の一例を示す図である。
【発明を実施するための形態】
【００１４】
以下、図面を参照して、実施形態について説明する。まず、具体的実施形態を説明する前に、図１を参照して従来技術のバックライト制御について説明する。
【００１５】
図１は、５５プルダウン方式にインパルス制御を組み合わせた場合の様子を示した図である。図１の（Ａ）は、５５プルダウン方式の映像のフレームの並びを示している。図１の（Ｂ）は、図１（Ａ）の映像のフレームにおいて、奇数番目のフレームを表示するタイミングでバックライトを点灯している様子を表している。白いフレームとグレーのフレームは、グレーのフレームがバックライトを消灯している時間、白いフレームがバックライトを点灯している時間を意味している。
【００１６】
奇数番目のフレームの表示のタイミングでバックライトを消灯するため、ディスプレイ２８Ａに表示される画像はフレームＡ２、フレームＡ３（消灯期間）、フレームＡ４、フレームＡ５（消灯期間）、フレームＢ１、フレームＢ２（消灯期間）、フレームＢ３、フレームＢ４（消灯期間）、フレームＢ５、となる。消灯期間は、液晶表示のホールド効果によって１つ前のフレームの映像が保持される。したがって実際にディスプレイ２８Ａに表示されている画像は、フレームＡ２、フレームＡ２、フレームＡ４、フレームＡ４、フレームＢ１、フレームＢ１、フレームＢ３、フレームＢ３、フレームＢ５、フレームＢ５となる。このように５５プルダウン方式の映像とインパルス制御を併用すると結果として４６プルダウン映像となり、不均一な表示間隔となってしまう。
【００１７】
また、フレームＡ５でバックライトが消灯して、フレームＢ１でバックライトが点灯するため、フレームＡ５の映像がフレームＢ１を表示するタイミングで残像として残る場合がある。
【００１８】
以下、上記したような問題を解決するように工夫された装置説明する。なお、以下の説明において、液晶ディスプレイを備えたテレビジョン受像機（以下「液晶テレビ」と呼ぶ）を例示しているが、本発明はこれに限定されるものではない。つまり、パソコンに接続する液晶表示装置や、ＤＶＤプレーヤーの液晶表示装置、さらには液晶表示装置を備えるゲーム機器など他の機器に置き換えることは可能である。
【００１９】
図２は、本発明の実施形態に係る液晶テレビの構成の一例を示す。液晶テレビ１は、入力部（チューナ）１１、信号処理部（ＴＳ分離部と称してもよい）１２、映像処理ブロック２１、音声処理ブロック３１及び主制御ブロック５１、等を含む。
【００２０】
なお液晶テレビ１において、ディスプレイ２８Ａ及びそれに付随するバックライト２８Ｂは、別体であってもよい。すなわち、ディスプレイ２８Ａ及びそれに付随するバックライト２８Ｂは、液晶テレビ１と非接触で、液晶テレビ１が無線方式により送信する番組を、ディスプレイ２８Ａ及びそれに付随するバックライト２８Ｂが遠隔位置で表示するものであってもよい。なお、以下に説明する要素や構成は、処理装置すなわちマイクロコンピューター（ＣＰＵ（Central Processing Unit））によりソフトウェアで実現するものであってもよいしハードウェアで実現するものであってもよい。
【００２１】
入力部１１には、空間波（地上波あるいは衛星波）を用いて提供される放送を受信するアンテナＡＮＴが接続する。入力部１１にはまた、外部映像供給元として、例えばＳＴＢ（Set Top Box）やビデオカメラ装置、等が接続する。なお、ビデオカメラ装置は、画像撮影が可能な携帯可能な端末装置、例えばタブレットＰＣ（Personal Computer）装置、等であってもよい。
【００２２】
入力部１１に入力する放送あるいはビデオカメラ装置等からの外部入力信号は、信号処理部１２に入力され、信号処理部１２は、外部入力信号からＴＳ（Transport Stream）すなわち映像信号（ビデオ）及び音声信号（オーディオ）、ならびに制御情報に分離する。なお、制御情報は、例えばＴＳ（ストリーム）の分配規則や内容、スケジュールあるいはタイミング、等を記述したＳＩ（Service Information、番組配列情報）、等を含む。
【００２３】
映像信号（ビデオと称してもよい）は、映像処理ブロック２１の映像デコーダ２２でデコードされ、デジタル映像信号（ビデオ出力）として出力される。
【００２４】
映像処理ブロック２１及び音声処理ブロック３１には、それぞれ、ディスプレイ２８A及びスピーカ３６が接続する。
【００２５】
映像処理ブロック２１は、映像デコーダ２２、映像タイプ判定器２３、フレームレート変換器２４、映像処理部２５、ＯＳＤ（On Screen Display）処理部２６及び表示制御部２７、等を含む。
【００２６】
映像タイプ判定器２３は、映像デコーダ２２から受信した映像信号のフレームレートを判定するとともに映像信号自体が２３プルダウンされたものかどうかの判定を行い、判定結果をフレームレート変換器２４に通知する。また映像タイプ判定器２３は、判定結果に応じて受信した映像信号をフレームレート変換器２４に送出または映像処理部２５に送出するために、スイッチ（セレクタと称してもよい）ＳＷ１とスイッチＳＷ２のオン／オフ（以下ＯＮ／ＯＦＦと記す）の制御を行う。
【００２７】
フレームレート変換器２４は、同一の内容のフレームにより生成された補間フレームを挿入してフレームレート変換を実行するフレームレート変換器（フィルムデジャダー処理無）２４Ａと、動きベクトルにより生成された補間フレームを挿入してフレームレート変換を実行するフレームレート変換器（フィルムデジャダー処理有）２４Ｃとフレームバッファ２４Ｂを含む。フレームバッファ２４Ｂは、フレームレートを変換する処理を実行する際の、映像（ビデオ）デコーダ２２から受信した映像信号の一時バッファとして使用される。
【００２８】
なおフレームレート変換器（フィルムデジャダー処理無）２４Ａで処理される方法とフレームレート変換器（フィルムデジャダー処理有）２４Ｃで処理される変換する方法は、リモコン端末（リモートコントローラ）７１による指示（操作入力）により切り替えることができる。リモコン端末（リモートコントローラ）７１による指示（操作入力）により、スイッチＳＷ３とスイッチＳＷ４のＯＮ／ＯＦＦが制御される。
【００２９】
映像処理部２５は、映像デコーダ２２がデコードしたデジタル映像信号をディスプレイ２８Ａが表示可能な所定の解像度及び出力方式に変換する。
【００３０】
表示制御部２７は、ＬＣＤ制御部２７Ａとバックライト制御部２７Ｂを含む。ＬＣＤ制御部２７Ａは、制御部映像処理部２５が変換した映像信号を、ディスプレイ２８Ａにおける好適な表示（映像再生）が可能な表示駆動信号に変換する。ＬＣＤ制御部２７Ａはまた、ＯＳＤ処理部２６からのＯＳＤ（On Screen Display）信号と表示駆動信号とを合成する。なお、ＬＣＤ制御部２７Ａの出力は、例えば外部に接続する外部モニタ装置あるいは投影装置（プロジェクタ装置）等が接続可能な出力端２９に出力されてもよい。
【００３１】
バックライト制御部２７Ｂは、バックライト２８Ｂを点灯させるタイミングを制御する。バックライト制御部２７Ｂがバックライト２８Ｂを点灯させるタイミングは、映像タイプ判定器２３で判定された、映像信号のフレームレートとプルダウンされた映像かどうかの判定結果に基づいて決定される。
【００３２】
音声処理ブロック３１は、音声（オーディオと称してもよい）デコーダ３２、音声（オーディオと称してもよい）処理部３３、遅延部３４及びＤ−Ａ（Digital to Analog）コンバータ３５、等を含む。
【００３３】
音声処理部３３は、音声デコーダ３２がデコードした音声信号を、スピーカ３６による好適な再生が可能な所定の形式に変換する。Ｄ−Ａコンバータ３５は、音声処理部３３が変換した音声信号を、アナログ音声出力信号に変換する。これにより、Ｄ−Ａコンバータ３５にスピーカ３６を接続した場合に、スピーカ３６が可聴音（アナログ音声（オーディオ）出力）を出力する。なお、Ｄ−Ａコンバータ３５の出力は、例えばＡＶ（Audio Visual）アンプ等が接続可能な出力端３７に分岐してもよい。また、Ｄ−Ａコンバータ３５に入力する音声信号は、コンテンツの種類に対応して、遅延部３４による所定量（時間）の遅延が制御される。例えばコンテンツがゲームである場合、遅延部３４が規定する遅延（時間）の大きさ（長さ）は、放送信号（番組）を再生する場合に適用する遅延（時間）の大きさ（長さ）よりも小さい（短い）。
【００３４】
操作部６１は、ユーザーによる直接操作に対応する制御コマンドを主制御ブロック５１に入力する。
【００３５】
受信部６２は、リモコン端末（リモートコントローラ）７１による指示（操作入力）に対応するコマンドを主制御ブロック５１に入力する。
【００３６】
通信インターフェース６３は、例えばＷｉ−Ｆｉ（Wireless Fidelity）規格等に準拠する近距離無線通信機器との間の無線通信を実現する。なお、近距離無線通信規格としては、例えばＢｌｕｅｔｏｏｔｈ（登録商標）規格やＮＦＣ（Near Field Communication）等も利用可能である。通信インターフェース６３は、有線方式／無線方式のいずれであってもよく、例えばワイヤレスキーボードやマウス等との間の信号の受け渡しが可能な通信ユニット、等が接続する。また、通信インターフェース６３は、例えばタブレット端末（スマートフォンや、携帯可能なＰＣ（パーソナルコンピュータ））との間の直接通信を行う。
【００３７】
ネットワーク制御部６４は、ネットワークＮＴＷへのアクセス、ネットワークＮＴＷ上のさまざまなサービス（ウェブページ）あるいはサーバーからの情報の取得、あるいは情報の取得のための入力情報の送信、等を制御する。これにより、ネットワーク上のサイトへアクセスやコンテンツ、等が可能である。
【００３８】
ＵＳＢインターフェース６５は、例えばＵＳＢ規格に対応する記憶装置（ＵＳＢＨＤＤ）、例えばＵＳＢ規格に準拠する外部装置、例えばキーボード、例えばＤＶＤドライブ等の利用を可能とする。
【００３９】
ＨＤＭＩ（登録商標）インターフェース（制御部）６６は、ＨＤＭＩ（High-definition Digital Media Interface）規格またはＭＨＬ（Mobile High-definition Link）規格を利用する機器相互間の有線通信を可能とする。なお、ＨＤＭＩインターフェース６６は、液晶テレビが受信する番組を録画するレコーダー機器との接続が可能である。これらの機器と接続することで、レコーダー機器が保持する録画番組を視聴することが可能となる。
【００４０】
記憶装置（ＨＤＤ（Hard Disk Drive））６７は、ユーザーがチャンネル（あるいは番組名）と時間とを指定して、番組単位で録画する通常録画による録画番組の保存に利用される。
【００４１】
主制御ブロック５１は、上述の操作部６１、受信部６２、通信インターフェース６３、ネットワーク制御部６４、ＵＳＢインターフェース６５、ＨＤＭＩインターフェース６６、及び記憶装置６７、等と接続し、それぞれの動作を制御する。主制御ブロック５１は、例えばＣＰＵ（主処理回路）５２、ＲＯＭ（読出専用メモリ）５３、ＲＡＭ（ランダムアクセスメモリ（ワークメモリ））５４、等を含む。ＣＰＵ（主処理回路）５２は、ＲＡＭ５４が提供する作業エリアにおいて、ＲＯＭ５３が保持する制御プログラムに基づき、入力信号や制御信号に対応する処理を実行する。
【００４２】
次に液晶テレビ１の映像タイプ判定器２３の判定処理について説明する。映像デコーダ２２から送出された映像信号は、映像タイプ判定器２３に送られる。映像タイプ判定器２３は、受信した映像信号を解析しフレームレートの判定とプルダウンされた映像信号かどうかの判定を行う。
【００４３】
図３は、映像タイプ判定器２３がフレームレートの判定とプルダウン処理された映像信号かどうかの判定を行うときの動作を示すフローチャートである。
【００４４】
映像タイプ判定器２３は、映像デコーダ２２からの映像信号を受信すると映像タイプの判定処理を開始する（Ｓ３０１）。映像タイプ判定器２３は、受信したフレーム単位の映像信号の中に含まれるフレームレートに関する情報を抽出して（Ｓ３０２）、その映像信号のフレームレートを判定する（Ｓ３０３）。判定した結果、受信した映像信号のフレームレートが２４ｆｐｓの場合、映像タイプ判定器２３は、判明したフレームレートをバックライト制御部２７Ｂに通知し（Ｓ３０４）、受信した映像信号をフレームレート変換器２４に送出するためにスイッチＳＷ１をＯＦＦ／スイッチＳＷ２をＯＮに設定し（Ｓ３０５）、映像信号をフレームレート変換器２４に送る（Ｓ３０６）。
【００４５】
フレームレートを判定した（Ｓ３０３）結果、受信した映像信号のフレームレートが２４ｆｐｓでない場合、映像タイプ判定器２３は、受信した映像信号が２３プルダウン映像かどうかの判定処理に移る（Ｓ３０７）。
【００４６】
プルダウン映像の判定方法は、ある一定区間のフレームにおいて、そのフレームの内容が一定の規則で並んでいるかどうかを以て判定する。例えば前後のフレームの画像データを比較し、もし一致する量が所定の閾値より多い場合、同一フレームが繰り替えされていると判断し、もし一致する量が所定の閾値より低下した場合、異なるフレームに切り替わったものと判定する。
【００４７】
図４は、２３プルダウン方式の変換の様子を図示したものである。２３プルダウン方式は、図４の（Ａ）に示す２４ｆｐｓのオリジナル画像を図４の（Ｂ）に示す６０ｆｐｓに変換するために、オリジナル画像のフレームＡを２回続けて配置し、オリジナル画像のフレームＡの次のフレームであるフレームＢを３回続けて配置することでフレームレートを変換する方法である。
【００４８】
そこで映像タイプ判定器２３は、連続する５フレームにおいて、その５フレーム内の前半２フレームが同一内容のフレームで後半３フレームが前半のフレームとは別の内容フレームで３フレームが同一の内容であると判定した場合に、受信した映像信号は２３プルダウン映像である、と判定する（Ｓ３０８）。判定した結果、受信した映像信号が２３プルダウン映像である場合、映像タイプ判定器２３は、判明したフレームレートとプルダウンの種別をバックライト制御部２７Ｂに通知し（Ｓ３０９）、受信した映像信号をフレームレート変換器２４に送出するためにスイッチＳＷ１をＯＦＦ／スイッチＳＷ２をＯＮに設定し（Ｓ３０５）、映像信号をフレームレート変換器２４に送る（Ｓ３０６）。
【００４９】
なお先に説明したように、フレームレート変換を実行するのは、フレームレート変換器２４に含まれるフレームレート変換器（フィルムデジャダー処理無）２４Ａとフレームレート変換器（フィルムデジャダー処理有）２４Ｃである。この２つの変換器のうち、実際にフレームレート変換処理を実行する変換器は、リモコン端末（リモートコントローラ）７１の指示（操作入力）により決定することができる。この決定は、ユーザーが好みに応じて選択することができる。
【００５０】
例えばリモコン端末（リモートコントローラ）７１の指示（操作入力）により、フレームレート変換器（フィルムデジャダー処理無）２４Ａがフレームレート変換を実際に実行するものとして選択されたとする。このリモコン端末（リモートコントローラ）７１の指示（操作入力）により、スイッチＳＷ３がＯＮ／スイッチＳＷ４がＯＦＦに設定される。このスイッチの設定により、映像タイプ判定器２３より送出される映像信号は、フレームレート変換器（フィルムデジャダー処理無）２４Ａに入力される。入力された映像信号は、フレームレート変換器（フィルムデジャダー処理無）２４Ａによって、フレームレート変換される。
【００５１】
フレームレートが２４ｆｐｓでもなく、２３プルダウン映像でもないと判定した場合、映像タイプ判定器２３は、スイッチＳＷ１をＯＮ／スイッチＳＷ２をＯＦＦに設定し（Ｓ３１０）、映像信号を映像処理部２５（Ｓ３１１）に送出する。
【００５２】
なお図３のフローチャートにおいては、フレームレートの条件として２４ｆｐｓであることを、プルダウン映像の条件として２３プルダウン映像であることを、判定内容としたが、これ以外のフレームレートの条件やプルダウン映像の条件を判定内容としても構わない。また、これらの条件は、映像タイプ判定器２３に固定的に設定されていても、例えばネットワークからネットワーク制御部６４を介して書き換え可能な条件として映像タイプ判定器２３に設定されていてもよい。例えば、フレームレートを２４ｆｐｓから６０ｆｐｓに変換する方法は、２３プルダウン方式だけではなく、２２２４プルダウン方式や２３３２プルダウン方式などもある。本発明はこれら他のプルダウン方式においても同様の効果を得ることが可能となる。
【００５３】
次に、映像タイプ判定器２３の判定結果の内容に基づきフレームレート変換器２４が実施する、フレームレート変換処理について説明する。
【００５４】
先に説明したようにフレームレート変換器２４は、フレームレート変換器（フィルムデジャダー処理無）２４Ａとフレームレート変換器（フィルムデジャダー処理有）２４Ｃを含み、入力された映像信号は、これらの変換器によりフレームレートが変換される。フレームレート変換する際に使用する変換器は、ユーザーによるリモコン端末（リモートコントローラ）７１の指示（操作入力）により決定される。
【００５５】
図５は、フレームレート変換器（フィルムデジャダー処理無）２４Ａによるフレームレートの変換の様子を示す図である。ユーザーが、フレームレート変換器（フィルムデジャダー処理無）２４Ａによるフレームレート変換を選択した場合のフレームレートの変換の様子を図５の（Ａ）と図５の（Ｂ）を用いて説明する。図５の（Ａ）の例は、映像タイプ判定器２３から送出されたフレームレート変換前の映像信号で、２４ｆｐｓの映像信号とする。図５の（Ｂ）の例は、フレームレート変換後の映像信号で、７２ｆｐｓ（＝２４ｆｐｓ×３）の映像信号とする。フレームレート変換器（フィルムデジャダー処理無）２４Ａは、フレームレートを変換するために、図５の（Ａ）の映像信号に対して、同一の内容のフレームを連続で配置する処理を実行する。具体的には、生成する補間フレームの内容は、元々の映像信号である図５の（Ａ）のフレームの内容を用いる、というものである。
【００５６】
その結果変換後の映像は、図５の（Ｂ）に示すように同一内容のフレームが３つ連続した配置となる。
【００５７】
図６は、フレームレート変換器（フィルムデジャダー処理有）２４Ｃによるフレームレートの変換の様子を示している。ユーザーが、フレームレート変換器（フィルムデジャダー処理有）２４Ｃによるフレームレート変換を選択した場合のフレームレート変換の様子を図６の（Ａ）と図６の（Ｂ）を用いて説明する。図６の（Ａ）の例は、図５の（Ａ）と同様にフレームレート変換前の映像信号で、２４ｆｐｓの映像信号とする。図６の（Ｂ）の例は、フレームレート変換後の映像信号で、７２ｆｐｓ（＝２４ｆｐｓ×３）の映像信号とする。フレームレート変換器（フィルムデジャダー処理有）２４Ｃは、フレームレートを変換するために、図６の（Ａ）の映像信号に対して、隣接するフレームの動きベクトルを元に補間フレームを作成する。具体的には、生成する補間フレームの内容は、元々の映像信号である図６の（Ａ）のフレームＡの内容とフレームＢの内容の動きベクトルを元に、補間フレームの内容を決定していく、というものである。図６の（Ｂ）に示すように、フレームレート変換器（フィルムデジャダー処理有）２４Ｃは、フレームＡとフレームＢの内容の動きベクトルを元に、フレームＡの次のフレームとしてフレームＡの内容に近くかつフレームＢの内容を加味したフレームであるフレームＡ２Ｂ１を作成する。また、次のフレームとしてフレームＢの内容に近くかつフレームＡの内容を加味したフレームＡ１Ｂ２を作成する。
【００５８】
その結果変換後の映像は、図６の（Ｂ）に示すようにすべてのフレームが異なる配置となる。
【００５９】
なお図５及び図６の例では、変換後の映像信号のフレームレートを７２ｆｐｓとしたが、変換後の映像信号のフレームレートはこれ以外でもよい。また、フレームレート変換器（フィルムデジャダー処理無）および２４Ａとフレームレート変換器（フィルムデジャダー処理有）２４Ｃにおいて、変換後のフレームレートは別々の値でもよい。また、変換後のフレームレートは、フレームレート変換器（フィルムデジャダー処理無）２４Ａおよびフレームレート変換器（フィルムデジャダー処理有）２４Ｃに固定的に設定されていても、例えばネットワークからネットワーク制御部６４を介して書き換え可能な値としてフレームレート変換器（フィルムデジャダー処理無）２４Ａおよびフレームレート変換器（フィルムデジャダー処理有）２４Ｃに設定されていてもよい。
【００６０】
次に、フレームレート変換器２４によりフレームレート変換された映像信号をディスプレイ２８Ａに表示する場合にバックライト２８Ｂの点灯消灯を制御するバックライト制御部２７Ｂの処理について説明する。
【００６１】
図７の（Ａ）から（Ｆ）は、フレームレート変換器（フィルムデジャダー処理無）２４Ａによりフレームレート変換された映像信号を、ディスプレイ２８Ａに表示する場合のバックライト制御の様子を表している。
【００６２】
図７の（Ａ）の例は、映像タイプ判定器２３から送出されたフレームレート変換前の映像信号であり、フレームレート＝２４ｆｐｓとする。図７の（Ｂ）の例は、図７の（Ａ）の例の映像信号がフレームレート変換器（フィルムデジャダー処理無）２４Ａによりフレームレート変換された後の映像信号であり、フレームレート７２ｆｐｓ（＝２４ｆｐｓ×３）の映像信号とする。図７の（Ｃ）の例は、図７の（Ｂ）の例の映像信号を、その映像信号と同一の駆動周波数を持つディスプレイ２８Ａに表示する場合のバックライトの点灯タイミングを表している。フレームの白部分とグレー部分は、各フレームの前半のグレー部分がバックライトを消灯している時間、各フレームの後半の白部分がバックライトを点灯している時間を意味している。
【００６３】
バックライト制御部２７Ｂは、映像タイプ判定器２３より通知された、フレームレート変換前のフレームレートの情報と、フレームレート変換器２４より受信したフレームレート変換後の映像信号のフレームレートから、変換比率を認識する。
【００６４】
図７の（Ｃ）の例は、フレームレート変換による変換比率は３倍である。このように変換比率が奇数倍の場合、バックライト制御部２７Ｂは、バックライトの点灯時間が各フレームの表示時間の後半５０％以内であり、点灯時間の終端が各フレームの表示時間の終端と一致するように、バックライトの点灯と消灯を繰り返すように制御する。
【００６５】
このように制御することで、画像の均等間隔表示と疑似的なインパルス制御を両立させることができる。
【００６６】
なお、バックライト点灯時間を各フレームの表示時間の後半５０％以内にすることで、ユーザーがディスプレイ２８Ａを見たときに輝度が低下したように感じることが想定される。そのため、バックライト制御部２７は、ユーザーがディスプレイ２８Ａを見たときの不快感を解消するために、バックライトの点灯時間に応じて点灯する際のバックライトの輝度を変えるように制御する。
【００６７】
図７の（Ｄ）は、図７の（Ｃ）のバックライト点灯時間の様子をディスプレイ２８Ａの直下に配置されている複数のバックライトの列ごとに分けて表現したものである。各バックライトの列における点灯時間は、映像信号の１フレームの表示時間の後半５０％以内の点灯時間であり、点灯時間の終端が各フレームの表示時間の終端と一致するようになっていることを表している。
【００６８】
図７の（Ｅ）の例は、図７の（Ａ）の映像信号がフレームレート変換器（フィルムデジャダー処理無）によりフレームレート変換された後の映像信号の他の例であり、フレームレート１４４ｆｐｓ（＝２４ｆｐｓ×６）とする。図７の（Ｆ）の例は、図７の（Ｅ）の例の映像信号を、その映像信号と同一の駆動周波数を持つディスプレイ２８Ａに表示する場合のバックライトの点灯タイミングを表している。白いフレームとグレーのフレームは、グレーのフレームがバックライトを消灯している時間、白いフレームがバックライトを点灯している時間を意味している。
【００６９】
図７の（Ｆ）の例は、フレームレート変換による変換比率は６倍である。このように変換比率が偶数倍の場合、バックライト制御部２７Ｂは、バックライトの点灯時間が各フレームの表示時間であり、点灯時間の開始が各フレームの表示の開始と一致するように、点灯と消灯を１フレームおきに繰り返すように制御してもよい。また図７の（Ｃ）の例のようにバックライトの点灯時間が各フレームの表示時間の後半５０％以内であり、点灯時間の終端が各フレームの表示時間の終端と一致するように、バックライトの点灯と消灯を繰り返すように制御してもよい。
【００７０】
このように制御することで、画像の均等間隔表示と疑似的なインパルス制御を両立させることができる。
【００７１】
なお、本実施形態におけるバックライト制御部２７Ｂは、図７の（Ｃ）に示すように、バックライトの点灯時間が各フレームの表示時間の後半５０％以内であり、点灯時間の終端が各フレームの表示時間の終端と一致するように、バックライトの点灯と消灯を繰り返すような制御、及び図７の（Ｆ）に示すように、バックライトの点灯時間が各フレームの表示時間であり、点灯時間の開始が各フレームの表示の開始と一致するように、点灯と消灯を１フレームおきに繰り返すように制御、の２つの制御が可能な機能を有している。しかし、バックライト制御部２７Ｂは、少なくとも、図７の（Ｃ）に示すように、バックライトの点灯時間が各フレームの表示時間の後半５０％以内であり、点灯時間の終端が各フレームの表示時間の終端と一致するように、バックライトの点灯と消灯を繰り返すような制御が可能な機能を有していればよい。
【００７２】
図８の（Ａ）から（Ｃ）は、フレームレート変換器（フィルムデジャダー処理有）２４Ｃによりフレームレート変換された映像信号を、ディスプレイ２８Ａに表示する場合のバックライト制御の様子を表している。
【００７３】
図８の（Ａ）の例は、映像タイプ判定器２３から送出されたフレームレート変換前の映像信号であり、フレームレート＝２４ｆｐｓとする。図８の（Ｂ）の例は、図８の（Ａ）の例の映像信号がフレームレート変換器（フィルムデジャダー処理有）２４Ｃによりフレームレート変換された後の映像信号であり、フレームレート７２ｆｐｓ（＝２４ｆｐｓ×３）の映像信号とする。図８の（Ｃ）の例は、図８の（Ｂ）の例の映像信号を、その映像信号と同一の駆動周波数を持つディスプレイ２８Ａに表示する場合のバックライトの点灯タイミングを表している。フレームの白部分とグレー部分は、各フレームの前半のグレー部分がバックライトを消灯している時間、各フレームの後半の白部分がバックライトを点灯している時間を意味している。
【００７４】
図８の（Ｃ）の例は、フレームレート変換による変換比率は３倍である。このように変換比率が奇数倍の場合、バックライト制御部２７Ｂは、バックライトの点灯時間が各フレームの表示時間の後半５０％以内であり、点灯時間の終端が各フレームの表示時間の終端と一致するように、バックライトの点灯と消灯を繰り返すように制御する。
【００７５】
また、フレームレート変換による変換比率が偶数倍の場合は、図７の（Ｆ）の例のように、バックライト制御部２７Ｂは、バックライトの点灯時間が各フレームの表示時間であり、点灯時間の開始が各フレームの表示の開始と一致するように、点灯と消灯を１フレームおきに繰り返すように制御してもよい。  
次に、フレームレート変換器２４によりフレームレート変換をする際に、フレームレート変換器（フィルムデジャダー処理無）２４Ａを用いるか、フレームレート変換器（フィルムデジャダー処理有）２４Ｃを用いるか、をリモコン端末（リモートコントローラ）７１により選択する場合の処理について説明する。
【００７６】
液晶テレビ１のディスプレイ２８Ａに映像を表示する際の表示モードとして、フレームレート変換器（フィルムデジャダー処理無）２４Ａを用いてフレームレートを変換する場合を「くっきりした映像」の表示モード、フレームレート変換器（フィルムデジャダー処理有）２４Ｃを用いてフレームレート変換する場合を「なめらかな映像」の表示モードとする。
【００７７】
図９は「くっきりした映像」の表示モードに変更する場合、図１０は「なめらかな映像」の表示モードに変更する場合のモードの切り替えの様子を示している。
【００７８】
例えば、リモコン端末（リモートコントローラ）７１の「表示モード切り替え」ボタン７１aがオンされると、液晶テレビ１のディスプレイ２８Ａには図９に示す「くっきりした映像にしますか？」８１のように「表示モードの切り替えの確認画面」が表示される。この「表示モードの切り替えの確認画面」は、例えば液晶テレビ１のディスプレイ２８Ａに表示する現在の表示モードが「なめらかな映像」の表示モードであり、ユーザーが「表示モード切り替え」ボタン７１ａを押下した場合に表示される。液晶テレビ１のディスプレイ２８Ａに表示されている「はい」「いいえ」のうち、ユーザーがリモコン端末（リモートコントローラ）７１を用いて「はい」８２を選択すると、リモコン端末（リモートコントローラ）７１からの指示（操作入力）によりスイッチＳＷ３がＯＮ／スイッチＳＷ４がＯＦＦに設定される。これにより、映像タイプ判定器２３より送出された映像信号は、フレームレート変換器（フィルムデジャダー処理無）２４Ａに入力される。
【００７９】
同様に、リモコン端末（リモートコントローラ）７１の「表示モード切り替え」ボタン７１aをオンすることで、液晶テレビ１のディスプレイ２８Ａには図１０に示す「くっきりした映像にしますか？」８３のような画面が表示された場合、ユーザーがリモコン端末（リモートコントローラ）７１を用いて「はい」８４を選択すると、リモコン端末（リモートコントローラ）７１からの指示（操作入力）によりスイッチＳＷ３がＯＦＦ／スイッチＳＷ４がＯＮに設定される。これにより、映像タイプ判定器２３より送出された映像信号は、フレームレート変換器（フィルムデジャダー処理有）２４Ｃに入力される。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１・・・テレビジョン受像機、２１・・・映像処理ブロック、２２・・・映像デコーダ、２３・・・映像タイプ判定器、２４・・・フレームレート変換器、２５・・・映像処理部、２６・・・ＯＳＤ処理部、２７・・・表示制御部、２８Ａ・・・ディスプレイ、２８Ｂ・・・バックライト、５１・・・主制御ブロック、７１・・・リモコン端末（リモートコントローラ）。
【図１】
2017021191.tif 000003
【図２】
2017021191.tif 000004
【図３】
2017021191.tif 000005
【図４】
2017021191.tif 000006
【図５】
2017021191.tif 000007
【図６】
2017021191.tif 000008
【図７】
2017021191.tif 000009
【図８】
2017021191.tif 000010
【図９】
2017021191.tif 000011
【図１０】
2017021191.tif 000012